(57)【要約】【課題】  従来のランプソケットの係止手段は、爪部が外れるのを防止するために、ストッパーを設けているが、ランプソケット組立て時に爪部の厚さ分だけ爪部もしくは爪受け部のたわみ量を要するが、ストッパーがあるため、たわみにくくそこで組立てが容易でないという課題があった。【解決手段】  本発明の係止手段は、ソケット本体及びカバーのうち、嵌め合せにより内側となる方に爪受け部、爪受け部の両側の一対のスリット及びこれらの下方に、一対のストッパー当り部を設け、また、外側となる方に爪部及び該爪部の下方に一対のストッパー部を設け、組立てにより、爪部が爪受け部に係止され、一対のストッパー当り部が一対のストッパー部と接触するものである。【選択図】        図２
2005197171.tif 000002
【特許請求の範囲】
【請求項１】
けい光ランプを装着し、該けい光ランプの口金を接続する口金接続端子を有する受け体と、
前記受け体を収容する受け体収容部及び電線挿入穴から挿入した電線を接続する電線接続端子を内部に収容する基盤部を有するソケット本体と、
前記ソケット本体と嵌め合せにより組み合わされるカバーとを具備し、
前記ソケット本体と前記カバー間には、両者を係止する係止手段が形成され、
該係止手段は、前記ソケット本体と前記カバーとのうち、嵌め合せにより外側となる一方の内側面に形成される突起部である爪部及び該爪部の両外側の一対のストッパー部と、嵌め合せにより内側となる他方に形成され、前記爪部と係合する爪受け部、該爪受け部の両外側で、嵌め合せ時の先端側から切り込み形成された一対のスリット及び前記ストッパー部に対応する一対のストッパー当り部とを有し、
前記ソケット本体と前記カバーとを嵌め合せることにより、前記爪部が前記爪受け部により係止され、前記一対のストッパー当り部が前記一対のストッパー部と接触することを特徴とするランプソケット。
【請求項２】
前記ソケット本体と前記カバーとのうち、嵌め合せにより外側となる一方が前記カバーであり、また、嵌め合せにより内側となる他方が前記ソケット本体であり、
前記係止手段は、前記受け体の上方で、前記ソケット本体の前記受け体収容部と該受け体収容部を覆う前記カバーの受け体カバー部との間に形成され、
また、前記係止手段は、前記受け体カバー部の内側面に形成され、内側面から突出した爪部及び該爪部の両外側で、内面から突出形成された一対のストッパー部と、前記受け体収容部に形成され、前面側に設けられた爪受け部、前記爪受け部の両外側で、嵌め合せ時の先端側である前記受け体収容部の背面側から切り込み形成された一対のスリット及び前記ストッパー部に対応し、前記受け体収容部の内面から突出形成された一対のストッパー当り部とを有することを特徴とする請求項１に記載のランプソケット。
【請求項３】
前記一対のスリットは、前記爪受け部の両外側で、先端側から前記爪受け部の先端側の端部まで切り込み形成されたことを特徴とする請求項１又は請求項２に記載のランプソケット。
【請求項４】
安定器等を有する照明器具本体のソケット取付部に、請求項１〜請求項３のいずれかの請求項に記載のランプソケットを装着したことを特徴とする照明器具。
【発明の詳細な説明】
【技術分野】
【０００１】
本発明は、けい光ランプを支持するランプソケット及び該ランプソケットを装着した照明器具に係り、特にソケット本体とカバーとを嵌め合せにより組合せ形成するランプソケットの組立て時の係止に関するものである。
【背景技術】
【０００２】
従来のランプソケットのソケット本体とカバーとの係止に関して、「ソケットボデイ１２（ソケット本体に該当する）とこのボデイの後面開口を塞ぐソケットカバー１４（カバーに該当する）とを爪結合で連結し、ボデイ１２のボデイ前壁１２ａを通って前後方向に移動可能に設けられた口金受け体１３がランプの装着に伴って押込まれるに伴い、ボデイ１２の円弧状をなした先端部内面の第１爪受け部１２ｄに係合しているカバー１４の第１係止爪１４ａが、口金受け体１３により後方に押される可能性があるランプソケットを前提とする。ボデイ１２の先端部内面に第１係止爪１４ａの両側端１４ａ２に個別に接近する一対のストッパ２０ｂを設ける。これらストッパ２０ｂで、第１係止爪１４ａが第１爪受け部１２ｄから外れる動きを妨げる。」と記載のものがある（例えば、特許文献１参照。）。
【特許文献１】特開平１０−２２０１８号公報（第４頁〜第７頁、図１〜図１１）
【発明の開示】
【発明が解決しようとする課題】
【０００３】
上記の従来のランプソケットにおいては、第１係止爪１４ａが外れるのを防止するために、ストッパ２０ｂを設けているが、ランプソケット組立て時に第１係止爪１４ａの厚さ分だけ第１係止爪１４ａもしくは第１爪受け部１２ｄの撓わみ量を要するが、ストッパ２０ｂがあるため、撓みにくくそこで組立てが容易でないという課題があった。
【０００４】
本発明のランプソケットは、上記のよう課題を解決するためになされたものであり、ランプソケットの改良を目的とするものである。
即ち、ランプソケットのソケット本体とカバーとの組立てが容易で、しかも外れ難いランプソケットを得ることを目的とする。
また、ランプソケットを装着して信頼性の高い照明器具を得ることを目的とする。
【課題を解決するための手段】
【０００５】
本発明に係るランプソケットは、けい光ランプを装着し、該けい光ランプの口金を接続する口金接続端子を有する受け体と、受け体を収容する受け体収容部及び電線挿入穴から挿入した電線を接続する電線接続端子を内部に収容する基盤部を有するソケット本体と、ソケット本体と嵌め合せにより組み合わされるカバーとを具備し、
ソケット本体とカバー間には、両者を係止する係止手段が形成され、該係止手段は、ソケット本体とカバーとのうち、嵌め合せにより外側となる一方の内側面に形成される突起部である爪部及び該爪部の両外側の一対のストッパー部と、嵌め合せにより内側となる他方に形成され、爪部と係合する爪受け部、該爪受け部の両外側で、嵌め合せ時の先端側から切り込み形成された一対のスリット及びストッパー部に対応する一対のストッパー当り部とを有し、ソケット本体とカバーとを嵌め合せることにより、爪部が爪受け部により係止され、一対のストッパー当り部が一対のストッパー部と接触するものである。
【発明の効果】
【０００６】
本発明のランプソケットは、ソケット本体とカバーとを嵌め合せにより組み合わせ形成され、また、ソケット本体とカバーとの係止手段として、ソケット本体とカバーのうち、嵌め合せにより外側となる一方の内側面に突起部である爪部及び該爪部の両外側にストッパー部が形成され、また、嵌め合せにより内側となる他方に爪部と係合する爪受け部、該爪受け部の両外側で、嵌め合せ時の先端側から切り込み形成された一対のスリット及びストッパー部に対応する一対のストッパー当り部が形成され、ソケット本体とカバーとを嵌め合せることにより、爪部が爪受け部により係止され、一対のストッパー当り部が一対のストッパー部と接触するので、組立てに際しては嵌め合せ時に、一対のスリットの間が撓み、組立てが容易となり、また、組立て後は、一対のストッパー当り部が一対のストッパー部に当り、爪部が係止される爪受け部を形成する係止部が撓み難くなり、ソケット本体とカバーが外れにくくなる。
【発明を実施するための最良の形態】
【０００７】
実施の形態１．
図１は、実施の形態１における１灯用のランプソケットを示す正面図であり、図２は、同じく図１のＡ−Ａ線断面図であり、図３は、同じく１灯用のランプソケットのソケット本体を示す平面図であり、ソケット本体を上方から見た図（図の上側を前面側としてある）である。図４は、同じく１灯用のランプソケットの要部断面図であり、背面側から見た図であり、図５は、図１のＢ−Ｂ線分解断面図であり、図６は、同じく２灯用のランプソケットを示す正面図である。
これらの図において、ランプソケットは、ソケット本体１、ソケット本体１を覆うカバー２及びソケット本体１に収容され、けい光ランプを装着する受け体３等を具備する。
ソケット本体１は、上部に、外形が湾曲した受け体収容部１ａがあり、この開口部１ｆに外形がほぼ円柱状の受け体３が挿入収容される。この際、受け体３は、後述のカバー２の受け体３に対応する背面側の内面と受け体３間に設置したコイルバネ５により、ソケット本体１の受け体収容部１ａの前面側に付勢されるが（図２参照）、受け体３の後部の外周部には受け体収容部１ａの内面とで形成される外れ止めがあり、受け体収容部１ａから外れることはない。けい光ランプは、ランプソケットの前面側から（図１の前面側から）受け体３に装着される。
【０００８】
また、受け体収容部１ａの下部（又は下部の前面側）に複数の電線挿入穴１ｇ及びこの電線挿入穴１ｇから挿入した外部電線を内部で端子金具４の電線接続端子４ｂを収容する電線接続端子収容部１ｂがある。さらに、受け体収容部１ａの下部には、横方向全体に亘って前面側に突出する平面前面部１ｃが形成されている。これら内部に収容される電線接続端子収容部１ｂ及び平面前面部１ｃ等でソケット本体１の下部の基盤部を形成する。
受け体収容部１ａは、全体的には外形が円柱体である受け体３を収容するような内面形状をとるが、後述のカバー２との嵌合を容易とする、また外れないように係止する等のために、一様な円筒体ではなく、図３、図５に示すように、間隔を開けて分断形成された壁部を有する。
受け体３には、けい光ランプが挿入される前面側の中央部に、けい光ランプの口金と接触する端子金具４の口金接続端子４ａが配置された開口部が形成され、この口金接続端子４ａは前記の電線接続端子収容部１ｂに収容される電線接続端子４ｂから内部電線８で接続され、受け体３の背面側から開口部に挿入される。
【０００９】
カバー２は、図１に示すように、受け体収容部１ａを覆う受け体カバー部２ａ及び受け体カバー部２ａの下部に配置される器具取付部２ｃ等を具備する。また、受け体カバー部２ａの下部には、受け体カバー部２ａに連続して形成され、ソケット本体１の平面前面部１ｃの左右の底面と側面を覆う平面カバー部２ｂが形成される。この左右の平面カバー部２ｂの間は、前面側が開いたコの字状の開口を有している。
器具取付部２ｃは、前面側が開いたコの字状をなし、平面カバー部２ｂの底面のコの字状の開口（受け体カバー部２ａの底面の開口）の縁部からコの字体が下方に突出して形成される。このコの字体の突出部の側辺部２ｎ、２ｎ´には、背面側から前面側に、外側に開口するスリット溝（図示せず）が形成されている。スリット溝は、照明器具本体のソケット取付具がスライド挿入され、ランプソケットが照明器具本体に取り付けられる。
ソケット本体１、カバー２及び受け体３は、材質は合成樹脂であり、それぞれ射出成形により一体に形成される。
【００１０】
カバー２は、ソケット本体１の背面側からカバー２が外側となるようにソケット本体１に組み合わされ、ソケット本体１を覆う。即ち、カバー２は、ソケット本体１の背面側から受け体収容部１ａの外側を一様に覆い、受け体収容部１ａの背面、湾曲した頭部及び平面前面部１ｃの側部と底面を覆う。但し、ソケット本体１の電線挿入穴１ｇが開口する底面はカバー２に覆われず露出される。即ち、カバー２の器具取付部２ｃのコの字体で囲まれ形成された開口から外部に露出する。
【００１１】
ソケット本体１とカバー２とは、嵌め合せにより組み合わされる。
電線挿入穴１ｇが開口する底面部とカバー２との嵌め合わせは、この底面部の左右の両端の下端部をカバー２の器具取付部２ｃのコの字体の側辺部２ｎ、２ｎ´の上端に形成した切欠き部に嵌め合せることにより行われる。この際、器具取付部２ｃのコの字体は、カバー２の下部に前面側が開口したコの字体として突出形成されている。
【００１２】
また、ソケット本体１とカバー２には、図１に示すように装着した受け体３の周りにおいて、ソケット本体１の受け体収容部１ａと該受け体収容部１ａを覆うカバー２の受け体カバー部２ａとの間に突起部である爪部２ｆとこれを受ける凹部又は穴部である爪受け部１ｈの組合せを持つ複数組の係止手段が形成される。図１では、ランプソケットの頂部の１組と両下部の２組の３組が設けられている。
下部の２組の係止手段は、ソケット本体１の両側面の前面側に凹部からなる爪受け部１ｈ、１ｈ´が形成され、カバー２の対応する両側面の内面の同じく前面側に爪部２ｆ、２ｆ´が形成されている。この２組の係止手段は、爪受け部１ｈ、１ｈ´と爪部２ｆ、２ｆ´をソケット本体１とカバー２について反対に形成してもよい。
【００１３】
ランプソケット頂部の係止手段は、特に、次のようにソケット本体１とカバー２との組立てを容易になるように形成する。
ソケット本体１は、図２及び図３に示すように、受け体収容部１ａの前面側の中央部（頂部）に穴部（凹部でもよい）よりなる爪受け部１ｈを設ける。この穴部１ｈを中心に両外側に、嵌め合せ時の先端側である受け体収容部１ａの背面側から穴部１ｈの先端側の端部まで一対のスリット１ｊ、１ｊ´を形成する。即ち、受け体収容部１ａの壁部を細く切り込みスリット１ｊ、１ｊ´を形成する。スリット１ｊ、１ｊ´間の受け体収容部１ａの壁部は、カバー２に挿入しやすくするために背面側の長さを短くしているが、必ずしも短くしなくてもよい。また、この壁部の背面側の先端部（丁度カバー２で覆うとき、爪部２ｆが摺動、挿入される部分）は、同じく挿入し易くするために、前面側から背面側に向かって図３で見て、下方に傾斜させているが、これも必ずしも傾斜させなくてもよい。
また、穴部１ｈを中心にして、その両外側で、やや下部に、受け体収容部１ａの前面部から背面側に延設した一対のストッパー当り部１ｍ、１ｍ´を受け体収容部１ａの内面から突出させ形成する。このストッパー当り部１ｍ、１ｍ´は、前面側を受け体収容部１ａの前面部に接続し、両外側を受け体収容部１ａの壁部に接続し、内面側と背面側を開放端（自由端）とする一対の水平板状体である。この一対のストッパー当り部１ｍ、１ｍ´は、ランプソケットを組立てたとき、後述の一対のストッパー部２ｇ、２ｇ´上で、一部がほぼ接触する位置関係にある。
【００１４】
また、カバー２の受け体カバー部２ａの頂部の前面側に内側面から突出する爪部２ｆを形成する。また、爪部２ｆの両外側で、やや下方に、一対のストッパー部２ｇ、２ｇ´を内側面から突出させ形成する。このストッパー部２ｇ、２ｇ´は、背面側を受け体カバー部２ａの背面の壁部に接続し、外側を側壁部に接続し、内側と前面側を開放端（自由端）とする一対の水平板状体である。
このように形成したランプソケットの頂部の係止手段のランプソケット組立て後の状態を図２に示す。この係止手段によると、ソケット本体１の受け体収容部１ａの一対のスリット１ｊ、１ｊ´間の壁部は、カバー２に挿入時、爪部２ｆに当り撓み、挿入が容易となり、爪部２ｆが爪受け部（穴部）１ｈに係止される。即ち、ランプソケットの組立てが容易となる。また、組立て後は、一対のストッパー当り部１ｍ、１ｍ´が一対のストッパー部２ｇ、２ｇ´に当り、爪部２ｆを係止する受け体収容部１ａの穴部１ｈのある係止部は撓み難くなり、爪部２ｆは爪受け部１ｈから外れ難くなり、ソケット本体１とカバー２とは外れにくくなる。
なお、スリット１ｊ、１ｊ´は、受け体収容部１ａの背面側から穴部１ｈの途中まで形成し（スリットを長くし）、より組立て易くしてもよい。但し、外れやすくなる恐れがあるので、穴部１ｈの先端側の後端までの形成とすれば、穴部１ｈのある受け体収容部１ａの壁部である係止部はほとんど撓まず、組立て後に外れることは一層起こり難くなる。
【００１５】
ソケット本体１とカバー２による係止手段は、受け体３の周り及び底面の嵌め合せ部等に適宜形成されるが、ランプソケット頂部には上記のスリット１ｊ、１ｊ´を有する係止手段を形成する。
ソケット本体１とカバー２は嵌め合せ組立て後に、照明器具のソケット取付台に取り付けられるが、けい光ランプの着脱時には、けい光ランプにより受け体３が押され、照明器具のソケット取付台への取付部を支点とした、ソケット本体１とカバー２を外そうとする応力が働く。この応力は、ランプソケットの頂部に近いほど大きくなる。そこで、ランプソケットの頂部には爪部２ｆとこれを受ける爪受け部１ｈとして貫通穴である穴部１ｈとによる外れ難い係止手段を設けることが望ましいが、外れ難くするため爪部２ｆの突出を大きくすると嵌め合せが難しくなる。そこで、スリット１ｊ、１ｊ´を設けて嵌め合せを容易化し、嵌め合せ後は、外れ難くする。
但し、ランプソケットの頂部の係止手段は、ランプソケットの頂部でなくても、受け体３の上方であればよく、効果も同様の効果が得られる。
【００１６】
また、ソケット本体１の受け体収容部１ａに設けた一対のストッパー当り部1ｍ、１ｍ´及びカバー２の受け体カバー部２ａに設けた一対のストッパー部２ｇ、２ｇ´は、上記の形成のものに限らず、要するにソケット本体１とカバー２を嵌め合せたとき、一対のストッパー当り部1ｍ、１ｍ´が一対のストッパー部２ｇ、２ｇ´と接触することにより、受け体収容部１ａの爪受け部である穴部１ｈのある係止部が撓み難くなるように形成したものであればよい。
【００１７】
これまで、ランプソケットとして、１灯用のランプソケットを説明してきたが、図６は、２灯用のランプソケットを示す正面図である。２灯用のランプソケットにおいては、受け体収容部１ａ、受け体カバー部２ａ及び受け体３が、それぞれ２個となり、１灯用のランプソケットのソケット本体１の電線接続端子収容部１ｂをもつ基盤部が両受け体収容部１ａ、１ａ´の中間の下部に配置され、これに伴いカバー２の器具取付部２ｃが受け体カバー部２ａ、２ａ´の中間の下部に配置される他は、１灯用のランプソケットの場合と同様である。
そこで、ランプソケットの組立てが容易となる効果、組立て後は外れ難くなる効果等が得られるのも同様である。
さらに、本発明の前記の係止手段等の特徴ある構造は、３灯以上用のランプソケットにも同様に適用でき、同様な効果を奏する。
３灯以上用のランプソケットは、図１又は図６に示すランプソケットの正面図において、上下の中心線に対して左右対称にソケット本体１、カバー２、受け体３および基盤部等を形成する。
【００１８】
本実施の形態のランプソケットは、ソケット本体１とカバー２とのうち、嵌め合せによりカバー２を外側とし、また、ソケット本体１を内側とし、係止手段は、受け体３の上方で、ソケット本体１の受け体収容部１ａと該受け体収容部１ａを覆うカバー２の受け体カバー部２ａとの間に形成され、また、係止手段は、受け体カバー部２ａの内側面に形成され、内側面から突出した爪部２ｆ及び該爪部２ｆの両外側で、内面から突出形成された一対のストッパー部２ｇと、受け体収容部１ａに形成され、前面側に設けられた爪受け部１ｈ、爪受け部１ｈの両外側で、嵌め合せ時の先端側である受け体収容部１ａの背面側から切り込み形成された一対のスリット１ｊ、１ｊ´及びストッパー部２ｇに対応し、受け体収容部１ａの内面から突出形成された一対のストッパー当り部１ｍ、１ｍ´とを有するので、ランプソケットの組立てに際しては嵌め合せ時に、一対のスリット１ｊ、１ｊ´の間が撓み、組立てが容易となり、また、組立て後は、一対のストッパー当り部１ｍ、１ｍ´が一対のストッパー部２ｇ、２ｇ´に当り、爪部２ｆが係止される爪受け部１ｈを形成する係止部が撓み難くなり、ソケット本体１とカバー２が外れにくくなる。
【００１９】
また、本実施の形態のランプソケットにおいては、一対のスリット１ｊ、１ｊ´は、爪受け部１ｈの両外側で、先端側から爪受け部１ｈの先端側の端部まで切り込み形成されたので、組立てが容易であるとともに、組立て後は、ソケット本体１とカバー２は一層外れ難くなる。
【００２０】
実施の形態２．
実施の形態１のランプソケットは、ソケット本体１とカバー２を嵌め合せ組立てるとき、ソケット本体１を内側とし、カバー２を外側とし、カバー２でソケット本体１を覆うように嵌め合せたが、本実施の形態のランプソケットは、両者を嵌め合せるとき、ソケット本体の背面の開口部を塞ぐように、カバーの前面側をソケント本体の内面に嵌め合せる。即ち、実施の形態１のソケット本体１とカバー２の内側と外側の関係を逆としたものである。
そこで、係止手段は次のようにする。即ち、嵌め合せにより外側となるソケット本体の内面に突起部である爪部及び該爪部の両外側に一対のストッパー部を設ける。また、嵌め合せにより内側となるカバーの前面側の挿入部に爪部と係合する爪受け部、該爪受け部の両外側に、嵌め合せ時の先端側から切り込み形成された一対のスリット及びストッパー部に対応するストッパー当り部を設ける。係止手段のその他の構成、係止手段に関する考え方等は、実施の形態１の係止手段と同様である。また、得られる効果も同様である。
その他の構造等は、実施の形態１と同様、または、嵌め合せ組立て型のランプソケットの公知の技術を適宜適用する。
【００２１】
本実施の形態１または２のランプソケットを、安定器等を有する照明器具本体のソケット取付部に装着した照明器具は、信頼性の高い照明器具となる。
【産業上の利用可能性】
【００２２】
本発明のランプソケットは、照明器具に装着して、信頼性の高い照明器具となる。
【図面の簡単な説明】
【００２３】
【図１】本発明の実施の形態１における１灯用ランプソケットを示す正面図である。
【図２】図１のＡ−Ａ線断面図である。
【図３】本発明の実施の形態１における１灯用ランプソケットのソケット本体を示す平面図である。
【図４】本発明の実施の形態１における１灯用ランプソケットを示す要部断面図である。
【図５】図１のＢ−Ｂ線分解断面図である。
【図６】本発明の実施の形態１における２灯用のランプソケットを示す正面図である。
【符号の説明】
【００２４】
１  ソケット本体、１ａ  受け体収容部、１ｇ  電線挿入穴、１ｈ  爪受け部、１ｊ（１ｊ´）  スリット、１ｍ（１ｍ´）  ストッパー当り部、２  カバー、２ａ  受け体カバー部、２ｆ  爪部、２ｇ（２ｇ´）  ストッパー部、３  受け体、４ａ  口金接続端子、４ｂ  電線接続端子。
【図１】
2005197171.tif 000003
【図２】
2005197171.tif 000004
【図３】
2005197171.tif 000005
【図４】
2005197171.tif 000006
【図５】
2005197171.tif 000007
【図６】
2005197171.tif 000008